(57)【要約】【課題】光導波路とプラグハウジングとの位置決め用のガイド部材をプラグとコネクタとの位置決めにも使用するようにして、累積誤差が小さく、コネクタハウジングに対する光導波路の位置決めを正確に、かつ、容易にすることができるとともに、小型でありながら耐久性が高く、構造が簡素で製造コストが低く、操作が容易になるようにする。【解決手段】光導波路を備えるケーブルと、ケーブルに接続されたプラグと、プラグが装着されるコネクタハウジングとを有する光コネクタであって、ケーブルはケーブル側ガイド部を備え、プラグは、プラグ側ガイド部を含み、ケーブルに取付けられるプラグハウジングを備え、コネクタハウジングはコネクタ側ガイド部を備え、プラグ側ガイド部は、ケーブル側ガイド部と係合してケーブルとプラグハウジングとの位置決めをするとともに、コネクタ側ガイド部と係合してコネクタハウジングとプラグとの位置決めをする。【選択図】図１
2011022198.tif 000002
【特許請求の範囲】
【請求項１】
（ａ）光導波路を備えるケーブルと、該ケーブルに接続されたプラグと、該プラグが装着されるコネクタハウジングとを有する光コネクタであって、
（ｂ）前記ケーブルはケーブル側ガイド部を備え、
（ｃ）前記プラグは、プラグ側ガイド部を含み、前記ケーブルに取付けられるプラグハウジングを備え、
（ｄ）前記コネクタハウジングはコネクタ側ガイド部を備え、
（ｅ）前記プラグ側ガイド部は、前記ケーブル側ガイド部と係合して前記ケーブルとプラグハウジングとの位置決めをするとともに、前記コネクタ側ガイド部と係合して前記コネクタハウジングとプラグとの位置決めをすることを特徴とする光コネクタ。
【請求項２】
前記プラグ側ガイド部はプラグハウジングから突出する複数の凸部であり、
前記ケーブル側ガイド部はケーブルに形成された複数の凹部であり、該凹部の各々には対応する前記凸部が進入可能であり、
前記コネクタ側ガイド部はコネクタハウジングに形成された複数の凹部であり、該凹部の各々には対応する前記凸部が進入可能である請求項１に記載の光コネクタ。
【請求項３】
前記凹部は円弧状の側面を含み、
前記凸部は円弧状の側面を含む柱状の部材である請求項２に記載の光コネクタ。
【請求項４】
前記コネクタハウジングに姿勢変化可能に取付けられ、前記プラグをロックするロック部材を更に有し、
該ロック部材を開放位置にして、前記ケーブル側ガイド部がコネクタ側ガイド部と係合するように、プラグをコネクタハウジングに装着し、
前記ロック部材を閉止位置にすると、前記プラグがコネクタハウジングにロックされ、前記ケーブルと接続される請求項１〜３のいずれか１項に記載の光コネクタ。
【請求項５】
前記プラグハウジングは、枠状のプラグハウジング本体及び板状のプラグ天板を備え、
前記プラグハウジング本体は、一対の側壁部及び該側壁部の後端を連結する後方横桟部を含む請求項１〜４のいずれか１項に記載の光コネクタ。
【請求項６】
前記ケーブルは、光導波路と導電線とを積層したハイブリッドケーブルであり、
前記プラグは、プラグ側光接続部及びプラグ側電気接続部を備え、
前記コネクタハウジングは、光接続部及び電気接続部を備え、
前記プラグをコネクタハウジングに装着すると、前記プラグ側光接続部及びプラグ側電気接続部が光接続部及び電気接続部に対向する請求項１〜５のいずれか１項に記載の光コネクタ。
【請求項７】
前記プラグ側ガイド部は、プラグ側光接続部に立設される請求項６に記載の光コネクタ。
【発明の詳細な説明】
【技術分野】
【０００１】
本発明は、光コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ：個人用携帯情報端末）、デジタルカメラ、ビデオカメラ、音楽プレーヤ、ゲーム機、車両用ナビゲーション装置等の電子機器においては、筐（きょう）体全体の小型化とディスプレイの大型化とを両立させるため、筐体を折畳むことができるようになっている。この場合、一方の筐体と他方の筐体とを回転可能に接続するヒンジ部の内部を通過するように、フレキシブル回路基板（ＦＰＣ：Ｆｌｅｘｉｂｌｅ  Ｐｒｉｎｔｅｄ  Ｃｉｒｃｕｉｔ）、細線同軸ケーブル等の導電線を配設し、パラレル伝送によって信号を伝送する。
【０００３】
近年、画像の高精細化等によって信号の高速化が求められているが、ヒンジ部の内部の大きさには限界があるので、幅広又は大径の導電線を配設することは困難である。また、ＥＭＩ（Ｅｌｅｃｔｒｏ  Ｍａｇｎｅｔｉｃ  Ｉｎｔｅｒｆｅｒｅｎｃｅ：電磁干渉）対策を施すと、更に導電線が幅広又は大径となってしまう。
【０００４】
そこで、大量の信号をシリアル伝送することができ、かつ、ＥＭＩ対応に優れる光伝送化が検討されている（例えば、特許文献１参照。）。
【０００５】
図６は従来の光コネクタを示す斜視図である。
【０００６】
図において、８７０は発光素子、受光素子等を含む光学モジュールを収納する光学素子部であり、結合部材８４１を介して、コネクタハウジング８１１に結合されている。該コネクタハウジング８１１は、図示されない光ファイバの先端に結合されたプラグが挿入される溝状のガイド部８１４と、前記プラグの前端が係合される係合壁部８１８とを有する。該係合壁部８１８の壁面には一対のガイド突起８３１が形成され、該ガイド突起８３１が前記プラグに形成された一対の係合孔（こう）と嵌（かん）合することによって、前記プラグの位置決めが行われる。
【０００７】
また、前記光コネクタは、前記コネクタハウジング８１１に回転可能に取付けられたクランプ部材８２１を備える。該クランプ部材８２１の前端は、係合壁部８１８の側面から突出する回転軸８１３に回転可能に取付けられている。そして、前記クランプ部材８２１は、前端から後方へ向けて延出する細長い板状の腕部８２２を備え、該腕部８２２の後端には前記プラグの後端に掛止する掛止部８２７が接続され、さらに、該掛止部８２７の後端にはオペレータが操作するための操作部８２５が接続されている。
【０００８】
そして、前記プラグを光コネクタに接続する場合には、まず、図に示される姿勢から操作部８２５を上昇させるようにクランプ部材８２１を回転させ、ガイド部８１４の上面を開放する。続いて、後方からプラグをガイド部８１４に挿入し、前記プラグの前端面を係合壁部８１８の壁面に当接させる。この場合、ガイド突起８３１をプラグの係合孔と嵌合させることによって、前記プラグの位置決めを行う。最後に、操作部８２５を下降させるようにクランプ部材８２１を回転させ、図に示される姿勢に復帰させる。これにより、前記プラグの後端に掛止部８２７が掛止し、前記プラグは光コネクタに接続された状態でロックされる。
【先行技術文献】
【特許文献】
【０００９】
【特許文献１】特開平１１−８４１７４号公報
【発明の概要】
【発明が解決しようとする課題】
【００１０】
しかしながら、前記従来の光コネクタにおいては、ガイド突起８３１をプラグの係合孔と嵌合させることによってプラグの位置決めを行うようになっているので、オペレータによる接続作業が困難である。通常、光ファイバに接続されたプラグを光コネクタに接続する場合、プラグ側の光路と光コネクタ側の光路との位置決めには極めて高い精度が要求されるので、ガイド突起８３１と係合孔との寸法公差が極めて小さく設定されている。そのため、ガイド突起８３１が係合孔に進入するようにプラグを移動させるオペレータの操作は、正確さが要求され、困難なものとなる。
【００１１】
また、オペレータがガイドに余分な力を付与した場合に、ガイド突起８３１が破損する可能性がある。近年では、光コネクタの微細化が進んでおり、それに伴ってガイド突起８３１も微細化している。そのため、例えば、該ガイド突起８３１をプラグの係合孔と嵌合させる際に、オペレータが手指等によってプラグの姿勢や向きに修正を加えると、ガイド突起８３１がオペレータの手指等の力を受けて破損してしまうことがある。
【００１２】
さらに、ガイド突起８３１自体の寸法誤差、ガイド突起８３１の係合壁部８１８への取付誤差、プラグの係合孔の寸法誤差等の各種の誤差が累積されるので、プラグ側の光路と光コネクタ側の光路とを高い精度で整合させることは困難である。
【００１３】
本発明は、前記従来の問題点を解決して、光導波路とプラグハウジングとの位置決め用のガイド部材をプラグとコネクタとの位置決めにも使用するようにして、累積誤差が小さく、コネクタハウジングに対する光導波路の位置決めを正確に、かつ、容易にすることができるとともに、小型でありながら耐久性が高く、構造が簡素で製造コストが低く、操作が容易な光コネクタを提供することを目的とする。
【課題を解決するための手段】
【００１４】
そのために、本発明の光コネクタにおいては、光導波路を備えるケーブルと、該ケーブルに接続されたプラグと、該プラグが装着されるコネクタハウジングとを有する光コネクタであって、前記ケーブルはケーブル側ガイド部を備え、前記プラグは、プラグ側ガイド部を含み、前記ケーブルに取付けられるプラグハウジングを備え、前記コネクタハウジングはコネクタ側ガイド部を備え、前記プラグ側ガイド部は、前記ケーブル側ガイド部と係合して前記ケーブルとプラグハウジングとの位置決めをするとともに、前記コネクタ側ガイド部と係合して前記コネクタハウジングとプラグとの位置決めをする。
【００１５】
本発明の他の光コネクタにおいては、さらに、前記プラグ側ガイド部はプラグハウジングから突出する複数の凸部であり、前記ケーブル側ガイド部はケーブルに形成された複数の凹部であり、該凹部の各々には対応する前記凸部が進入可能であり、前記コネクタ側ガイド部はコネクタハウジングに形成された複数の凹部であり、該凹部の各々には対応する前記凸部が進入可能である。
【００１６】
本発明の更に他の光コネクタにおいては、さらに、前記凹部は円弧状の側面を含み、前記凸部は円弧状の側面を含む柱状の部材である。
【００１７】
本発明の更に他の光コネクタにおいては、さらに、前記コネクタハウジングに姿勢変化可能に取付けられ、前記プラグをロックするロック部材を更に有し、該ロック部材を開放位置にして、前記ケーブル側ガイド部がコネクタ側ガイド部と係合するように、プラグをコネクタハウジングに装着し、前記ロック部材を閉止位置にすると、前記プラグがコネクタハウジングにロックされ、前記ケーブルと接続される。
【００１８】
本発明の更に他の光コネクタにおいては、さらに、前記プラグハウジングは、枠状のプラグハウジング本体及び板状のプラグ天板を備え、前記プラグハウジング本体は、一対の側壁部及び該側壁部の後端を連結する後方横桟部を含む。
【００１９】
本発明の更に他の光コネクタにおいては、さらに、前記ケーブルは、光導波路と導電線とを積層したハイブリッドケーブルであり、前記プラグは、プラグ側光接続部及びプラグ側電気接続部を備え、前記コネクタハウジングは、光接続部及び電気接続部を備え、前記プラグをコネクタハウジングに装着すると、前記プラグ側光接続部及びプラグ側電気接続部が光接続部及び電気接続部に対向する。
【００２０】
本発明の更に他の光コネクタにおいては、さらに、前記プラグ側ガイド部は、プラグ側光接続部に立設される。
【発明の効果】
【００２１】
本発明によれば、光コネクタは、光導波路とプラグハウジングとの位置決め用のガイド部材をプラグとコネクタとの位置決めにも使用する。これにより、累積誤差を小さくすることができるので、コネクタハウジングに対する光導波路の位置決めを正確に、かつ、容易にすることができる。さらに、小型でありながら耐久性が高く、構造を簡素化することができ、製造コストを抑制し、操作を容易にすることができる。
【図面の簡単な説明】
【００２２】
【図１】本発明の実施の形態における光コネクタを示す図でありケーブルを接続する前にロック部材を開放した状態を示す図であって、（ａ）はレセプタクルコネクタの斜視図、（ｂ）はプラグコネクタの斜視図である。
【図２】本発明の実施の形態におけるプラグを示す斜視図であって、（ａ）は分解図、（ｂ）は組立図である。
【図３】本発明の実施の形態におけるプラグを示す二面図であって、（ａ）は下面図、（ｂ）は側面図である。
【図４】本発明の実施の形態におけるケーブルの接続端部とレセプタクルコネクタの光接続部及び電気接続部との接続関係を示す側断面の模式図である。
【図５】本発明の実施の形態におけるプラグをレセプタクルコネクタに嵌合する動作を示す図であって、（ａ）〜（ｃ）は一連の動作を示す斜視図である。
【図６】従来の光コネクタを示す斜視図である。
【発明を実施するための形態】
【００２３】
以下、本発明の実施の形態について図面を参照しながら詳細に説明する。
【００２４】
図１は本発明の実施の形態における光コネクタを示す図でありケーブルを接続する前にロック部材を開放した状態を示す図である。なお、図において、（ａ）はレセプタクルコネクタの斜視図、（ｂ）はプラグコネクタの斜視図である。
【００２５】
図において、１は本実施の形態における一方の光コネクタとしてのレセプタクルコネクタであり、図示されない回路基板等の基板の面に実装される基板側コネクタであり、ケーブル１０１を接続するための光コネクタの一部である。
【００２６】
ここで、ケーブル１０１は、光導波路と後述される導電線１５１とを一体化した複合ケーブルであり、具体的には、帯状の光導波路の一面にフレキシブル回路基板等の可撓（とう）性平板状ケーブルを貼（てん）付して積層することによって一体的に結合したもの、又は、帯状の光導波路の一面に導電パターンを形成したものである。
【００２７】
また、前記ケーブル１０１の端部には、プラグハウジング１３０が取付けられ、光コネクタ組立体における他方の光コネクタであるプラグコネクタとしてのプラグ１２０が形成されている。そして、該プラグ１２０を前記レセプタクルコネクタ１に嵌合して装着することによって、ケーブル１０１がレセプタクルコネクタ１に接続される。
【００２８】
なお、本発明における光コネクタは、光導波路を接続するためのコネクタとして機能し、少なくとも光導波路を備えるケーブルを接続することができるものであればよく、また、ケーブルは、必ずしも、光導波路と導電線１５１とを一体化した複合ケーブルである必要はない。しかし、本実施の形態においては、説明の都合上、光コネクタが、光導波路と導電線１５１とを一体化した複合ケーブルであるケーブル１０１を接続するコネクタである場合についてのみ説明する。
【００２９】
前記ケーブル１０１は、いかなる用途に使用されるものであってもよいが、例えば、パーソナルコンピュータ、携帯電話機、ＰＤＡ、デジタルカメラ、ビデオカメラ、音楽プレーヤ、ゲーム機、車両用ナビゲーション装置等であって、筐体が複数の部分に分割され、隣接する各部分が回転可能に連結されている電子機器に使用され、隣接する各部分を回転可能に連結するヒンジ部の内部を通過するように配線されるような用途に適している。また、前記ケーブル１０１は、例えば、光導波路によって信号をシリアル伝送することができ、かつ、ＥＭＩ対応に優れているので、大量の信号を高速で伝送する用途に適している。さらに、レセプタクルコネクタ１は、前記電子機器の筐体内に配設された基板の面に実装されるような用途に適している。
【００３０】
なお、本実施の形態において、レセプタクルコネクタ１、ケーブル１０１及びプラグ１２０並びにそれらに含まれる各部材の構成及び動作を説明するために使用される上、下、左、右、前、後等の方向を示す表現は、絶対的なものでなく相対的なものであり、レセプタクルコネクタ１、ケーブル１０１及びプラグ１２０並びにそれらに含まれる各部材が図に示される姿勢である場合に適切であるが、レセプタクルコネクタ１、ケーブル１０１及びプラグ１２０並びにそれらに含まれる各部材の姿勢が変化した場合には姿勢の変化に応じて変更して解釈されるべきものである。
【００３１】
前記レセプタクルコネクタ１は、合成樹脂等の絶縁性材料によって一体的に形成されたコネクタハウジング１１と、金属、合成樹脂等であって弾性変形可能な材料によって一体的に形成され、前記コネクタハウジング１１に姿勢変化可能に取付けられた弾性ロック部材としてのロック部材２１とを有する。該ロック部材２１は、例えば、金属板に曲げ加工、プレス加工等の加工を施すことによって形成することができる。そして、前記ロック部材２１は、その基端（図１（ａ）における下端）がコネクタハウジング１１の先端（図１（ａ）における左上端）に回転可能に接続され、姿勢変化して、プラグ１２０をコネクタハウジング１１に装着するための図１（ａ）に示されるような第１位置としての開放位置、及び、プラグ１２０をロックする後述される第２位置としての閉止位置になる。
【００３２】
前記ロック部材２１は、中空の略長方形状の板状部材であり、短軸方向（幅方向）に延在する帯板状の第１横桟部２４及び第２横桟部２５と、長軸方向（縦方向）に延在して前記第１横桟部２４及び第２横桟部２５の両端を接続する細長い帯板状の一対の撓（たわ）み部２２とを有する。該撓み部２２は、伸縮可能な伸縮部として機能する。
【００３３】
そして、前記第１横桟部２４は、ロック部材２１の先端に位置し、その短軸方向の両端には一対の取付部としての取付脚部２３の基端が接続されている。前記取付脚部２３は、第１横桟部２４に対してほぼ直交する方向に延在し、その先端が、コネクタハウジング１１の回転軸１３を介して、コネクタハウジング１１の先端に回転可能に接続されている。なお、前記取付脚部２３は、第１横桟部２４を介して、前記撓み部２２の一端に接続されているとも言える。また、前記第１横桟部２４における一対の撓み部２２との接続部分の間には、第２横桟部２５の方向に向けて延出するプラグ押え部としての第１押え部２４ａの基端が接続されている。
【００３４】
また、前記第２横桟部２５は、ロック部材２１の後端に位置し、その長軸方向の後端側の両端には一対の被係止部としての掛止腕部２７の基端が接続されている。前記掛止腕部２７は、Ｕ字状の側面形状を備え、第１横桟部２４と反対の方向に向けて延出し、下方に湾曲して先端部２７ａが第１横桟部２４の方向を向き、コネクタハウジング１１に掛止又は掛止解除される。なお、前記掛止腕部２７は、第２横桟部２５を介して、前記撓み部２２の一端に接続されているとも言える。そして、閉止位置において、前記先端部２７ａは、コネクタハウジング１１の掛止部としてのロック突起１５ａに掛止される。また、前記第２横桟部２５における一対の撓み部２２と接続部分との間には、第１横桟部２４の方向に向けて延出するプラグ押え部としての第２押え部２５ａの基端が接続されている。
【００３５】
なお、前記第２横桟部２５における掛止腕部２７との接続部分より内側の部分には、第１横桟部２４と反対の方向に向けて延出する板状の操作部２５ｂの基端が接続されている。前記操作部２５ｂは、ロック部材２１を姿勢変化させる際に、オペレータが手指等によって操作する部分であるが、不要であれば適宜省略することもできる。
【００３６】
さらに、前記撓み部２２の各々は、閉止位置において上方に突出するように屈曲した屈曲部２２ａと、該屈曲部２２ａの両側に接続された平板状又は直線状の直状部２２ｂと、撓み部２２の両端を第１横桟部２４及び第２横桟部２５に接続する接続部２２ｃとを備え、略ヘ字状の側面形状を備える。そして、前記撓み部２２は、このような側面形状を備え、かつ、弾性を備える材料から成るので、弾性的に伸長可能となっている。すなわち、撓み部２２の両端間の距離を伸長させることができ、これにより、第１横桟部２４と第２横桟部２５との間隔を広げることができる。具体的には、閉止位置において屈曲部２２ａを下に向けて押圧することによって、該屈曲部２２ａの屈曲程度が緩和され、両側の直状部２２ｂ同士の間の角度が広くなり、その結果、撓み部２２の両端間の距離が伸長する。つまり、屈曲部２２ａの屈曲程度の変化によって、前記撓み部２２は伸縮する。
【００３７】
また、前記コネクタハウジング１１は、平面形状が略長方形の板状の部材であり、長軸方向に延在する一対の側壁部１２と、後端において幅方向に延在して両側の側壁部１２を連結する後端壁部１５とを備える。さらに、前記コネクタハウジング１１は、先端から後端に向って長軸方向にタンデムに並んで配列されたガイド部１４、光接続部１６及び電気接続部１７を備える。前記ガイド部１４の両側には回転軸１３が取付けられ、該回転軸１３を介して、ロック部材２１の取付脚部２３が回転可能に取付けられている。
【００３８】
なお、両側の側壁部１２は、中間において、幅方向に延在し、光接続部１６と電気接続部１７とを仕切る仕切壁部３５によって連結されている。
【００３９】
そして、前記後端壁部１５の幅方向両端近傍、すなわち、両側の側壁部１２の後端面には、後方に突出する掛止部としてのロック突起１５ａが形成されている。前記ロック部材２１は、閉止位置になると、その掛止腕部２７の先端部２７ａが前記ロック突起１５ａと係合することによってコネクタハウジング１１に掛止され、これにより、プラグ１２０をロックする。なお、ロック突起１５ａの上面は、前記先端部２７ａのスライドを容易とするために、後下方に向けて傾斜するテーパ面１５ｂとなっている。また、ロック突起１５ａの下面側の凹部は、前記先端部２７ａの掛止が確実となるように形成された掛止凹部１５ｃとなっている。なお、前記ロック突起１５ａは、両側の側壁部１２の側面に形成されていてもよい。
【００４０】
前記ガイド部１４は、ガイド面としての平坦（たん）な上面、該上面から上方に向けて突出するプラグ載置用ガイド部としての側面当接部１８、及び、前記上面から下方に陥没するように形成された凹部であって位置決め用ガイド部として機能するガイド凹部３１を備える。
【００４１】
前記側面当接部１８は、ガイド部１４の左右両端に一体的に形成された立設する一対の柱状部材であり、互いに向き合った内側面１８ａは、長軸方向に延在する平面であり、プラグハウジング１３０の前端近傍の側面部１３０ｅをガイドする。つまり、側面当接部１８は、プラグ１２０をコネクタハウジング１１上に載置する際に、プラグハウジング１３０の前端部１３０ａ近傍の側面部１３０ｅをガイドする機能を発揮する。なお、前記回転軸１３は、詳細には、側面当接部１８に取付けられている。
【００４２】
また、前記ガイド凹部３１は、左右の側面当接部１８の後端側に隣接してガイド部１４から側壁部１２に亘（わた）る範囲に形成された凹部であって、左右の側壁部１２の側面から幅方向の中心に向けて延在し、側壁部１２の側面側が開放され、幅方向の中心側が閉止された浅く幅広の溝状の凹部である。そして、前記ガイド凹部３１は、コネクタ側ガイド部であって、プラグハウジング１３０が備える柱状のガイド凸部１３１と係合し、レセプタクルコネクタ１に対するプラグ１２０の位置決めをするための位置決め用ガイド部として機能する。そのため、溝状のガイド凹部３１の側壁３１ａにおける少なくとも閉止された溝の奥部に対応する部分の形状は、半円柱状であるガイド凸部１３１の側壁１３１ａの形状に対応する円筒内側面状である。すなわち、平面形状が半円状であり、側面も円弧状である。
【００４３】
なお、溝の奥部に対応する側壁３１ａの形状は、必ずしも平面形状が半円状である必要はなく、ガイド凸部１３１の側壁１３１ａと係合可能な形状であれば、いかなる形状であってもよく、例えば、平面形状が、溝状のガイド凹部３１の長軸に対して互いに反対方向に傾斜する２つの斜辺部を含む三角形又はＶ字状の形状であってもよい。
【００４４】
一方、プラグ１２０のプラグハウジング１３０の下面における前端部１３０ａの近傍には、前記ガイド凹部３１と係合し、レセプタクルコネクタ１に対するプラグ１２０の位置決めをするための位置決め用ガイド部として機能するガイド凸部１３１が一体的に形成されている。該ガイド凸部１３１は、幅方向の両側において下方に向けて突出する凸部であって、プラグ側ガイド部である。そして、左右のガイド凸部１３１の外側を向いた側壁は、側面部１３０ｅと面一の平面であり、左右のガイド凸部１３１の内側を向いた側壁１３１ａは円柱側面である。すなわち、ガイド凸部１３１は、半円柱状の部材であり、その平面形状は半円状であり、その側面は円弧状である。
【００４５】
なお、前記ガイド凸部１３１の形状は、必ずしも平面形状が半円状である必要はなく、ガイド凹部３１内に進入して係合し、レセプタクルコネクタ１に対するプラグ１２０の位置決めをすることが可能な形状であれば、いかなる形状であってもよく、例えば、平面形状が、台形又は三角形であってもよい。
【００４６】
そして、前記コネクタハウジング１１のガイド凹部３１にプラグハウジング１３０のガイド凸部１３１を係合させることによって、コネクタハウジング１１に装着されるプラグ１２０を所定の位置に高精度でガイドし、レセプタクルコネクタ１とプラグ１２０との位置合せが高精度で行われる。
【００４７】
なお、その際に、プラグハウジング１３０の側面部１３０ｅにおける前端部１３０ａ及びその近傍部分が前記側面当接部１８の内側面１８ａにガイドされることによって、コネクタハウジング１１とプラグ１２０との幅方向の概略的な位置合せを容易に行うことができる。つまり、プラグハウジング１３０の前端部１３０ａ及びその近傍部分を両側の側面当接部１８の間に進入させることによって、コネクタハウジング１１とプラグ１２０との大まかな位置合せを行うことができ、これにより、ガイド凹部３１とガイド凸部１３１との係合によるコネクタハウジング１１とプラグ１２０との高精度な位置合せを容易に行うことができる。
【００４８】
また、プラグ１２０は、平面形状が略長方形の薄い板状の部材であり、コネクタハウジング１１に装着されると、その下面がコネクタハウジング１１の上面と対向する。
【００４９】
さらに、前記光接続部１６は、ケーブル１０１の光導波路と光の受渡しを行う部分であり、受光素子、発光素子等の光半導体素子７２、該光半導体素子７２を制御する制御回路を備える図示されない受発光制御素子としての制御ＩＣ等の光デバイスを収容する凹部である。該凹部の上面は、図に示される例において、ガラス等の透光性材料から成る薄板状の封止板４１によって封止されている。
【００５０】
なお、前記光接続部１６には、金属等の導電性材料から成り、前記光半導体素子７２又は制御ＩＣに接続される光学用端子６１も収容される。該光学用端子６１は、基板の面上に形成される接続パッドにはんだ付等によって接続される基板用接続部としてのテール部６３を備え、該テール部６３がコネクタハウジング１１の側方に突出している。
【００５１】
また、前記電気接続部１７は、ケーブル１０１の導電線１５１と電気的に接続される部分であり、金属等の導電性材料から成る電気接続用端子５１を収容する凹部である。前記電気接続用端子５１は、自由端近傍に形成され、上方に向けて凸となるように湾曲した接触部、及び、基板の面上に形成される接続パッドにはんだ付等によって接続される基板用接続部としてのテール部５３を備え、該テール部５３がコネクタハウジング１１の側方に突出している。
【００５２】
次に、前記プラグ１２０の構成について詳細に説明する。
【００５３】
図２は本発明の実施の形態におけるプラグを示す斜視図、図３は本発明の実施の形態におけるプラグを示す二面図である。なお、図２において、（ａ）は分解図、（ｂ）は組立図、図３において、（ａ）は下面図、（ｂ）は側面図である。
【００５４】
ケーブル１０１は、細長い帯状の薄板部材であるが、図２及び３には前端（図２における左下端）近傍の一部分のみが描画されている。そして、１０２は、前端面１０２ｂから所定長さの範囲に形成されたプラグ接続部としての接続端部である。
【００５５】
また、ケーブル１０１の下面には、ケーブル１０１の電気的絶縁性を示す第１絶縁層１４１上に、金属等の導電性を備える材料から成る箔（はく）状の導電線１５１が複数本、例えば、６本、所定のピッチで並列に配設されている。そして、前記接続端部１０２では、前記第１絶縁層１４１が除去され、導電線１５１の下面が露出している。
【００５６】
なお、各導電線１５１の先端には幅広の接続パッド部１５２が形成されている。該接続パッド部１５２の各々は、ケーブル１０１がレセプタクルコネクタ１に接続された状態において、コネクタハウジング１１の電気接続部１７内に収容された電気接続用端子５１の接触部と対応するような部位に形成される。なお、接続パッド部１５２が配設された範囲は、プラグ側電気接続部１５３として機能する。また、接続パッド部１５２の配列は、任意に設定することができるが、図に示されるように、千鳥状に、かつ、ケーブル１０１の軸方向にタンデムに並ぶように配列されることが望ましい。これにより、接続端部１０２の幅を拡張することなく、多数の接続パッド部１５２を配設することができ、その結果、プラグ１２０の幅方向の寸法を抑制することができる。なお、導電線１５１の幅が十分に広い場合には、幅広の接続パッド部１５２を形成することなく、導電線１５１の先端自体を接続パッド部１５２として機能させることができる。
【００５７】
さらに、前記接続端部１０２において、接続パッド部１５２よりも前端寄りの部位は、プラグ側光接続部が形成されており、光路変換部１６１が含まれている。該光路変換部１６１は、鏡面として機能する後述される傾斜面１６２を備え、光導波路を伝送される光の向きをほぼ直角に変換する。すなわち、ケーブル１０１の軸方向の光路をケーブル１０１の下面に対して垂直な方向の光路に変換する。これにより、光導波路を伝送されてきた光をケーブル１０１の下面から下方に射出させることができるとともに、下方からケーブル１０１の下面に入射された光を光導波路に導入することができる。前記光路変換部１６１は、ケーブル１０１がレセプタクルコネクタ１に接続された状態において、コネクタハウジング１１の光接続部１６内に収容された光半導体素子７２と対応するような部位に形成される。
【００５８】
そして、プラグハウジング１３０は、ケーブル１０１の軸方向に延在する長方形の枠状の部材であるプラグハウジング本体１２１と、ケーブル１０１の軸方向に延在する長方形の板状の部材であるプラグ天板１２６とを有する。前記プラグハウジング本体１２１は、合成樹脂等の絶縁性材料によってプラグ天板１２６と一体的に形成された部材であり、長軸方向に延在する一対の側壁部１２４、該側壁部１２４の後端を連結する後方横桟部１２３を有する。
【００５９】
前記側壁部１２４の厚さ方向の寸法は、ケーブル１０１の接続端部１０２の厚さ方向の寸法と同等である。また、前記側壁部１２４は、ケーブル１０１の幅方向の位置決めを行う。
【００６０】
そして、前記プラグハウジング１３０における前端部１３０ａの近傍には、プラグハウジング１３０に対する光導波路の位置決めをするための位置決め用ガイド部としても機能するガイド凸部１３１が一体的に形成されている。該ガイド凸部１３１は、プラグ天板１２６の幅方向の両側及び側壁部１２４から下方に向けて突出する凸部であって、前述のように半円柱状の凸部である。そして、前述のように、左右のガイド凸部１３１の外側を向いた側壁は、側面部１３０ｅと面一の平面であり、左右のガイド凸部１３１の内側を向いた側壁１３１ａは円柱側面である。
【００６１】
また、前記ケーブル１０１の接続端部１０２における前端面１０２ｂの近傍には、両側の側面１０２ａから幅方向の中心に向けて凹入するケーブル側方凹部１０２ｃが形成されている。
【００６２】
該ケーブル側方凹部１０２ｃは、平板状のケーブル１０１の一部を切取るようにして形成された凹部であって、側面１０２ａ側が開放され、幅方向の中心側が閉止された凹部である。そして、前記ケーブル側方凹部１０２ｃは、ケーブル側ガイド部であって、プラグハウジング１３０が備えるガイド凸部１３１と係合し、プラグハウジング１３０に対するケーブル１０１の位置決めをするための位置決め用ガイド部として機能する。そのため、ケーブル側方凹部１０２ｃの側壁１０２ｄにおける少なくとも閉止された奥部に対応する部分の形状は、半円柱状であるガイド凸部１３１の側壁１３１ａの形状に対応する円筒内側面状である。すなわち、平面形状が半円状であり、側面も円弧状である。
【００６３】
なお、前記ケーブル側方凹部１０２ｃの奥部に対応する側壁１０２ｄの形状は、必ずしも平面形状が半円状である必要はなく、ガイド凸部１３１の側壁１３１ａと係合可能な形状であれば、いかなる形状であってもよく、例えば、平面形状が、溝状のガイド凹部３１の長軸に対して互いに反対方向に傾斜する２つの斜辺部を含む三角形又はＶ字状の形状であってもよい。
【００６４】
そして、ケーブル側方凹部１０２ｃ内にガイド凸部１３１が進入して係合することによって、プラグハウジング１３０に対するケーブル１０１の接続端部１０２の幅方向の位置決め、及び、プラグハウジング１３０に対するケーブル１０１の長手方向（軸方向）の位置決めが行われる。
【００６５】
また、プラグハウジング１３０における前端部１３０ａには、ケーブル１０１の前端面１０２ｂと当接や近接するような壁は立設されておらず、プラグハウジング本体１２１とプラグ天板１２６とによって形成されている。このことから、プラグハウジング１３０にケーブル１０１を装着するとき、ケーブル１０１の接続端部１０２の長手方向の長さや前端面１０２ｂの端面形状が、プラグハウジング１３０に対するケーブル１０１の位置決め精度へ影響を与えることはない。さらに、ケーブル１０１の接続端部１０２の長手方向の長さや前端面１０２ｂの端面形状の精度を高める必要がないため、コストダウンすることも可能となる。
【００６６】
また、前記後方横桟部１２３は、長方形の断面形状を備える長方形の板状の部材であり、平坦な上面を備え、該上面がケーブル１０１の接続端部１０２の下面と当接することによって、ケーブル１０１を下方から支持する。後方横桟部１２３は、その上面が側壁部１２４の下面とほぼ面一となるように前記側壁部１２４に接続されているので、前記プラグハウジング本体１２１の後端面は、後方から観て、略Ｕ字状の形状を有する。
【００６７】
さらに、前記プラグ天板１２６の長さ、すなわち、長軸方向の寸法は、プラグハウジング１３０の前端部１３０ａから後方横桟部１２３の前端面近傍までの寸法にほぼ等しく、前記プラグ天板１２６の幅、すなわち、短軸方向の寸法は、プラグハウジング本体１２１における一方の側壁部１２４の内側面１２４ａから他方の側壁部１２４の内側面１２４ａまでの寸法にほぼ等しい。
【００６８】
本実施の形態におけるケーブル１０１は、光導波路と、該光導波路に積層された導電線１５１とを有する。そして、光導波路は、ケーブル１０１の軸方向に延在して光を伝送する光伝送路となるコア部１１１と、該コア部１１１を取囲む板状のクラッド部１１２とを備える。なお、図に示される例において、コア部１１１の数は２本であるが、１本であってもよいし、３本以上であってもよいし、任意に設定することができる。
【００６９】
なお、前記光導波路は、シングルモードタイプであってもよいし、マルチモードタイプであってもよいが、ここでは、シングルモードタイプであるものとする。また、クラッド部１１２の屈折率は、コア部１１１の屈折率よりも低い値であることが望ましい。そして、前記コア部１１１及びクラッド部１１２は、このような屈折率の条件を満たすものであれば、いかなる種類の材料から成るものであってもよく、例えば、シリコン基板から成るものであってもよいし、ガラス基板から成るものであってもよいし、フレキシブルな樹脂フィルムから成るものであってもよいが、ここでは、フレキシブルな樹脂フィルムから成るものである例について説明する。
【００７０】
また、前記導電線１５１は、例えば、ＦＰＣと称されるフレキシブル回路基板の導電線であり、光導波路の下面（図２における上面）にケーブル１０１の軸方向に延在するように所定のピッチで並列に配設されている。そして、導電線１５１の下面を覆うように第１絶縁層１４１が配設されている。そして、接続端部１０２では、第１絶縁層１４１が除去され、導電線１５１が露出している。
【００７１】
このように、ケーブル１０１の接続端部１０２にプラグハウジング１３０を取付けてプラグ１２０を形成することによって、柔軟性を備えるために取扱いが困難であったケーブル１０１の接続端部１０２は、プラグハウジング１３０によってソリッドな状態となるので、取扱いが容易となる。そのため、レセプタクルコネクタ１への接続を容易に、かつ、正確に行うことができる。
【００７２】
次に、前記ケーブル１０１の接続端部１０２とレセプタクルコネクタ１の光接続部１６及び電気接続部１７との接続関係について詳細に説明する。
【００７３】
図４は本発明の実施の形態におけるケーブルの接続端部とレセプタクルコネクタの光接続部及び電気接続部との接続関係を示す側断面の模式図である。
【００７４】
プラグ１２０がレセプタクルコネクタ１に接続された状態において、プラグハウジング１３０のガイド凸部１３１がコネクタハウジング１１のガイド凹部３１と係合しているので、ケーブル１０１の軸方向及び幅方向について、プラグ１２０は、コネクタハウジング１１に対して位置決めされている。したがって、図４に示されるように、プラグ１２０がレセプタクルコネクタ１に接続された状態において、プラグ１２０の光路変換部１６１は、レセプタクルコネクタ１の光接続部１６に収容された光半導体素子７２の真上に位置する。なお、ケーブル１０１の幅方向に関しても、光半導体素子７２の真上に位置する。これにより、ケーブル１０１及びレセプタクルコネクタ１は光学的に接続された状態となる。
【００７５】
すなわち、光半導体素子７２の発光面から射出された光は、下方からケーブル１０１に入射し、光路変換部１６１の後方寄りの傾斜面１６２で反射されてほぼ直角に向きを変え、対応するコア部１１１に導入され、該コア部１１１内をケーブル１０１の軸方向に沿って伝送される。一方、コア部１１１内をケーブル１０１の軸方向に沿って伝送されてきた光は、光路変換部１６１の後方寄りの傾斜面１６２で反射されてほぼ直角に向きを変え、ケーブル１０１から下方に射出され、光半導体素子７２の受光面によって受光される。
【００７６】
また、プラグ１２０のプラグ側電気接続部１５３は、レセプタクルコネクタ１の電気接続部１７の真上に位置し、各接続パッド部１５２は、電気接続部１７に収容された対応する電気接続用端子５１の接触部と接触し、電気的に接続される。
【００７７】
なお、本実施の形態においては、図３（ａ）に明白に示されるように、ケーブル側方凹部１０２ｃは、光路変換部１６１よりも前方に形成されているが、これは光路変換部１６１よりも前方であれば、ケーブル側方凹部１０２ｃの形成によって、光導波路内を伝送される光に影響を及ぼすことがなく、また、導電線１５１又は接続パッド部１５２の配置にも影響を及ぼすことがないからである。しかしながら、ケーブル側方凹部１０２ｃの位置は、光導波路内を伝送される光、及び、導電線１５１又は接続パッド部１５２の配置に影響を及ぼすことがないのであれば、接続端部１０２の範囲内のいずれであってよく、例えば、ケーブル１０１の長手方向に関して光路変換部１６１と同じ位置であってもよいし、光路変換部１６１よりも後方であってもよい。なお、ケーブル側方凹部１０２ｃの位置を変更する場合には、それに対応して、プラグハウジング１３０に形成されるガイド凸部１３１の位置、及び、コネクタハウジング１１に形成されるガイド凹部３１の位置も変更されることとなる。
【００７８】
また、本実施の形態においては、ガイド凸部１３１と、それと係合するケーブル側方凹部１０２ｃ及びガイド凹部３１とが、各々２つずつであり、かつ、ケーブル１０１の中心軸に関して左右対称となるように配置されているが、ガイド凸部１３１、ケーブル側方凹部１０２ｃ及びガイド凹部３１は、複数、すなわち、２つ以上であればいくつであってもよく、また、必ずしもケーブル１０１の中心軸に関して左右対称となるように配置される必要はなく、左右非対称に配置されていてもよい。なお、各ガイド凸部１３１と、それと係合するケーブル側方凹部１０２ｃ及びガイド凹部３１とは、互いに対応する位置に配置される必要がある。
【００７９】
次に、プラグ１２０をレセプタクルコネクタ１に嵌合することによって、ケーブル１０１をレセプタクルコネクタ１に接続する動作について説明する。
【００８０】
図５は本発明の実施の形態におけるプラグをレセプタクルコネクタに嵌合する動作を示す図である。なお、図において、（ａ）〜（ｃ）は一連の動作を示す斜視図である。
【００８１】
まず、図５（ａ）に示されるように、レセプタクルコネクタ１のロック部材２１を開放位置とし、プラグ１２０をコネクタハウジング１１の上方に位置させる。この場合、プラグ１２０の下面、すなわち、接続パッド部１５２の露出する面をコネクタハウジング１１の上面と対向させるとともに、プラグハウジング１３０の前端部１３０ａをコネクタハウジング１１のガイド部１４の真上に位置させ、プラグ１２０の後方横桟部１２３をコネクタハウジング１１の後端壁部１５の後上方に位置させる。
【００８２】
続いて、プラグ１２０をコネクタハウジング１１に対して相対的に下降させ、該コネクタハウジング１１に嵌合させる。この場合、プラグハウジング１３０の前端部１３０ａの近傍部分が左右の側面当接部１８の間に位置し、かつ、ガイド凸部１３１が対応するガイド凹部３１と対向するようにして、プラグ１２０を下降させる。そして、該プラグ１２０をコネクタハウジング１１上に載置する際に、プラグハウジング１３０の前端部１３０ａの近傍部分を左右の側面当接部１８の間に進入させ、さらに、ガイド凸部１３１を対応するガイド凹部３１に進入させる。これにより、ガイド凸部１３１とガイド凹部３１とが係合し、図５（ｂ）に示されるように、プラグ１２０がコネクタハウジング１１に対して位置決めされる。
【００８３】
続いて、ロック部材２１を開放位置から姿勢変化させ、具体的には、回転軸１３を中心として図における時計回り方向にロック部材２１を回転させて、該ロック部材２１をプラグ１２０の上に到達させる。そして、ロック部材２１を更に回転させると、該ロック部材２１の掛止腕部２７の先端部２７ａがコネクタハウジング１１のロック突起１５ａの上面、すなわち、テーパ面１５ｂに当接する。
【００８４】
そして、オペレータが手指等によって、ロック部材２１を更に回転させ、掛止腕部２７を下方に移動させると、先端部２７ａが前記テーパ面１５ｂに沿ってスライドするので、掛止腕部２７は、回転軸１３から離れる方向へ変位させられる。すると、屈曲部２２ａが弾性的に変形し、弾性を備える撓み部２２が伸長させられる。ロック部材２１の掛止腕部２７の先端部２７ａがコネクタハウジング１１のロック突起１５ａの頂部と当接したときに、撓み部２２が最も伸長した状態となる。
【００８５】
そして、ロック部材２１を更に回転させ、掛止腕部２７を更に下方に移動させると、先端部２７ａは、ロック突起１５ａの頂部から外れて、ロック突起１５ａの下面側の掛止凹部１５ｃに進入する。また、屈曲部２２ａがばねとしての復元力によって元の形状に復元し、撓み部２２が伸縮して元の形状に復元する。そして、先端部２７ａは、ロック突起１５ａの下面と係合する。これにより、ロック部材２１は、図５（ｃ）に示されるような閉止位置でコネクタハウジング１１に掛止され、プラグ１２０をロックする。
【００８６】
これにより、プラグ１２０がレセプタクルコネクタ１に嵌合されてロックされた状態となり、ケーブル１０１がレセプタクルコネクタ１に確実に接続される。
【００８７】
そして、プラグ１２０がコネクタハウジング１１に対して位置決めされると、コネクタハウジング１１の光接続部１６及び電気接続部１７に、プラグ１２０のプラグ側光接続部としての光路変換部１６１及びプラグ側電気接続部１５３が、各々、対向する。また、プラグハウジング１３０の前端部１３０ａがコネクタハウジング１１の側面当接部１８の内側面１８ａと係合し、かつ、プラグ１２０の後端近傍における後方横桟部１２３がコネクタハウジング１１の後端壁部１５と係合するので、プラグ１２０とコネクタハウジング１１との位置関係が安定的に維持される。これらにより、外力を受けても、前記位置関係が乱れることがない。
【００８８】
また、図５（ｃ）に示されるように、レセプタクルコネクタ１に嵌合されているプラグ１２０を取外すためには、該プラグ１２０のロックを解除する。この場合、オペレータは、手指等によって撓み部２２の屈曲部２２ａを下方に押圧する。これにより、該屈曲部２２ａが弾性的に変形し、撓み部２２が伸長する。その結果、掛止腕部２７の先端部２７ａは、回転軸１３から離れる方向に変位し、ロック突起１５ａの下面と非係合の状態となる。つまり、掛止腕部２７の先端部２７ａと掛止凹部１５ｃとの掛止が解除される。
【００８９】
この状態で、オペレータが手指等によって操作部２５ｂを上方に変位させると、ロック部材２１が回転軸１３を中心に反時計回り方向に回転し、掛止腕部２７が上方に移動させられる。これにより、プラグ１２０のロックが解除される。
【００９０】
このように、本実施の形態における光コネクタは、光導波路を備えるケーブル１０１と、ケーブル１０１に接続されたプラグ１２０と、プラグ１２０が装着されるコネクタハウジング１１とを有する。そして、ケーブル１０１はケーブル側方凹部１０２ｃを備え、プラグ１２０は、ガイド凸部１３１を含み、ケーブル１０１に取付けられるプラグハウジング１３０を備え、コネクタハウジング１１はガイド凹部３１を備え、ガイド凸部１３１は、ケーブル側方凹部１０２ｃと係合してケーブル１０１とプラグハウジング１３０との位置決めをするとともに、ガイド凹部３１と係合してコネクタハウジング１１とプラグ１２０との位置決めをする。
【００９１】
これにより、ケーブル１０１とプラグハウジング１３０との位置決めに使用するガイド凸部１３１をコネクタハウジング１１とプラグ１２０との位置決めにも使用することができるので、ガイド部材の寸法誤差、ケーブル１０１、プラグハウジング１３０、コネクタハウジング１１等の各部材の組立誤差等の累積結果である累積誤差を小さくすることが可能となり、その結果、コネクタハウジング１１に対する光導波路の位置決め精度を向上させることができる。また、各部材の位置決めを容易にすることができ、光コネクタの構造を簡素化して、製造コストを低減し、操作を容易にすることができる。
【００９２】
また、ガイド凸部１３１はプラグハウジング１３０から突出する複数の凸部であり、ケーブル側方凹部１０２ｃはケーブル１０１に形成された複数の凹部であり、ケーブル側方凹部１０２ｃの各々には対応するガイド凸部１３１が進入可能であり、ガイド凹部３１はコネクタハウジング１１に形成された複数の凹部であり、ガイド凹部３１の各々には対応するガイド凸部１３１が進入可能である。これにより、ケーブル１０１とプラグハウジング１３０との位置合せ、及び、プラグ１２０とコネクタハウジング１１との位置合せを高い精度で、かつ、容易に行うことができる。
【００９３】
さらに、ケーブル側方凹部１０２ｃ及びガイド凹部３１は半円状の側面を含み、ガイド凸部１３１は半円状の側面を含む半円柱状の部材である。これにより、ケーブル側方凹部１０２ｃ及びガイド凹部３１とガイド凸部１３１とが干渉する部分が少なくなるので、ケーブル側方凹部１０２ｃ、ガイド凹部３１及びガイド凸部１３１が受ける応力を小さくすることができ、その結果、プラグハウジング１３０、ケーブル１０１及びコネクタハウジング１１が受ける応力を小さくすることができる。
【００９４】
さらに、コネクタハウジング１１に姿勢変化可能に取付けられ、プラグ１２０をロックするロック部材２１を更に有し、ロック部材２１を開放位置にして、ガイド凸部１３１がガイド凹部３１と係合するように、プラグ１２０をコネクタハウジング１１に装着し、ロック部材２１を閉止位置にすると、プラグ１２０がコネクタハウジング１１にロックされ、ケーブル１０１と接続される。これにより、ケーブル１０１の接続作業を極めて容易に行うことができる。また、プラグ１２０を確実に嵌合して、ケーブル１０１との接続を確実に達成することができる。さらに、ロックの解除性とロックの信頼性とを両立させることができる。
【００９５】
さらに、ケーブル１０１は、光導波路と導電線１５１とを積層したハイブリッドケーブルであり、プラグ１２０は、光路変換部１６１及びプラグ側電気接続部１５３を備え、コネクタハウジング１１は、光接続部１６及び電気接続部１７を備え、プラグ１２０をコネクタハウジング１１に装着すると、光路変換部１６１及びプラグ側電気接続部１５３が光接続部１６及び電気接続部１７に対向する。これにより、プラグ１２０を小型化することができ、ケーブル１０１の配線作業を極めて容易に行うことができる。また、プラグ１２０を確実に嵌合して、ケーブル１０１との光学的及び電気的な接続を確実に達成することができる。さらに、ケーブル１０１は、光導波路と導電線１５１とが積層されて一体的に構成されているので、光導波路と導電線１５１とを個別に配線する必要がなく、配線を容易に行うことができる。
【００９６】
なお、本発明は前記実施の形態に限定されるものではなく、本発明の趣旨に基づいて種々変形させることが可能であり、それらを本発明の範囲から排除するものではない。
【産業上の利用可能性】
【００９７】
本発明は、光コネクタに適用することができる。
【符号の説明】
【００９８】
１    レセプタクルコネクタ
１１、８１１    コネクタハウジング
１２、１２４    側壁部
１３、８１３    回転軸
１４、８１４    ガイド部
１５    後端壁部
１５ａ    ロック突起
１５ｂ    テーパ面
１５ｃ    掛止凹部
１６    光接続部
１７    電気接続部
１８    側面当接部
１８ａ、１２４ａ    内側面
２１    ロック部材
２２    撓み部
２２ａ    屈曲部
２２ｂ    直状部
２２ｃ    接続部
２３    取付脚部
２４    第１横桟部
２４ａ    第１押え部
２５    第２横桟部
２５ａ    第２押え部
２５ｂ、８２５    操作部
２７    掛止腕部
２７ａ    先端部
３１    ガイド凹部
３１ａ、１０２ｄ、１３１ａ    側壁
３５    仕切壁部
４１    封止板
５１    電気接続用端子
５３、６３    テール部
６１    光学用端子
７２    光半導体素子
１０１    ケーブル
１０２    接続端部
１０２ａ    側面
１０２ｂ    前端面
１０２ｃ    ケーブル側方凹部
１１１    コア部
１１２    クラッド部
１２０    プラグ
１２１    プラグハウジング本体
１２３    後方横桟部
１２６    プラグ天板
１３０    プラグハウジング
１３０ａ    前端部
１３０ｃ    被押部
１３０ｅ    側面部
１３１    ガイド凸部
１４１    第１絶縁層
１５１    導電線
１５２    接続パッド部
１５３    プラグ側電気接続部
１６１    光路変換部
１６２    傾斜面
８１８    係合壁部
８２１    クランプ部材
８２２    腕部
８２７    掛止部
８３１    ガイド突起
８４１    結合部材
８７０    光学素子部
【図１】
2011022198.tif 000003
【図２】
2011022198.tif 000004
【図３】
2011022198.tif 000005
【図４】
2011022198.tif 000006
【図５】
2011022198.tif 000007
【図６】
2011022198.tif 000008